(57)【特許請求の範囲】
【請求項１】
建屋壁面の壁材に設けた開口部における上記壁面内にガス栓を取り付けるためのガス栓取付装置であって、
上記ガス栓を固定するもので、上記壁材の表面に当接する当接プレートを有する固定枠と、
上記壁材の裏面に当接するもので、上記当接プレートと協働して上記壁材を挟持する挟持プレートと、
上記挟持プレートを上記当接プレート側に寄せるもので、上記固定枠にその頭部を当接させると共に、上記挟持プレートに設けたネジ孔に螺合する連結ビスと、を備え、
上記固定枠の当接プレートを、その正面中央部を開口部とする額縁状に形成し、
上記挟持プレートを、上記固定枠に対して上記壁材に沿う方向にスライド自在とし、
もって該挟持プレートが、上記壁材の開口部内にほぼ収まる引き込み位置と、上記壁材の開口部から張り出す張り出し位置との双方に変位可能とし、
上記連結ビスを上記挟持プレートの表面側に手前方向に立ち上がるような形態で配置し、該連結ビスの頭部を介して上記挟持プレートをスライド操作自在としたことを特徴とするガス栓取付装置。
【請求項２】
上記固定枠には、上記当接プレートの開口部側に延出するガイドプレートを設け、
上記ガイドプレートには、上記壁材に沿う方向に延びる長孔状に形成されるとともに上記当接プレートの開口部側の端部が開放された係合孔を設け、
上記係合孔は、上記挟持プレートを上記引き込み位置に位置させた状態では上記連結ビスが外れるとともに、上記挟持プレートを上記張り出し位置に位置させた状態では上記連結ビスが係合することを特徴とする請求項１記載のガス栓取付装置。
【請求項３】
上記ガイドプレートには、上記挟持プレートにて貫通されるガイド部を設け、該ガイド部に沿って上記挟持プレートをスライド操作自在としたことを特徴とする請求項２記載のガス栓取付装置。
【請求項４】
上記挟持プレートには、該挟持プレートを上記引き込み位置に位置させた状態で上記ガイドプレートに当接する当接部を設けたこと、を特徴とする請求項２又は３記載のガス栓取付装置。
【請求項５】
上記ガイドプレートには、上記挟持プレートを上記張り出し位置に位置させた状態で上記連結ビスの先端部を回転自在に保持する保持部を設けたことを特徴とする請求項２、３又は４記載のガス栓取付装置。
【請求項６】
建屋壁面の壁材に設けた開口部における上記壁面内にガス栓を取り付けるためのガス栓取付装置において、
上記ガス栓を固定する固定枠であって、上記壁材の表面に当接するものでその正面中央部を開口部とする額縁状の当接プレートと、該当接プレートの開口部側に延出するガイドプレートとを有する固定枠と、
上記壁材の裏面に当接するもので、上記当接プレートと協働して上記壁材を挟持する挟持プレートと、
上記挟持プレートを上記当接プレート側に寄せるもので、上記固定枠にその頭部を当接させると共に、上記挟持プレートに設けたネジ孔に螺合して該挟持プレートの表面側に手前方向に立ち上がるような形態で配置される連結ビスとを備え、
上記ガイドプレートには、上記壁材に沿う方向に延びる長孔状に形成されるとともに上記当接プレートの開口部側の端部を開放された係合孔を設け、
上記挟持プレートを、上記固定枠に対して上記壁材に沿う方向にスライド自在とし、上記連結ビスが上記係合孔から外れた状態で上記壁材の開口部内にほぼ収まる引き込み位置と、上記連結ビスが上記係合孔に係合した状態で上記壁材の開口部から張り出す張り出し位置とに配置可能としたことを特徴とするガス栓取付装置。
【発明の詳細な説明】
【０００１】
【発明の属する技術分野】
この発明は、建屋壁面の壁材に設けた開口部において壁面内にガス栓を取り付けるためのガス栓取付装置に関する。
【０００２】
【従来の技術】
図５は従来のガス栓取付装置を示す図であり、（ａ）は平面図、（ｂ）は正面図である（なお建屋の室内側から壁材側を見た場合に見える面を正面とする。以下同じ）。
この図５において従来のガス栓取付装置は、建屋壁面の壁材３１ａ、３１ｂ（図５（ａ）にのみ想像線にて示す）に設けた開口部３１ｃにおいて壁面内にガス栓３２を固定する。この構造は、壁材３１ａ、３１ｂの表面（壁材の両側面のうち室内側に面する面を表面、該表面の反対側の面を裏面とする。以下同じ）に当接する当接プレート３４を有する固定枠３３と、壁材３１ａ、３１ｂの裏面に当接するものであって当接プレート３４と協働して壁材３１ａ、３１ｂを挟持する左右一対の挟持プレート３５、３５と、該挟持プレート３５、３５を固定枠３３側に寄せるものであって挟持プレート３５に設けたネジ孔４８に螺合する４つの連結ビス３６、３６とを備えて構成されていた。
【０００３】
このうち固定枠３３の当接プレート３４は、その正面中央部を開口部３４ａとする額縁状に形成されており、該開口部３４ａの正面中央位置にガス栓３２が固定されている。また固定枠３３には当接プレート３４の開口部３４ａ側に突出する係合部４０が設けられており、該係合部４０には連結ビス３６を挿通する係合孔４３が設けられている。この係合孔４３は壁材３１ａ、３１ｂに沿う方向に若干長孔状とされており、該係合孔４３に挿通させた連結ビス３６をその挿通部分を支点として図５（ａ）の矢印方向にスイング（回動）させることができる。
【０００４】
また各挟持プレート３５は、正面略コ字状をなす略平板状に形成され、壁材３１ａ、３１ｂにほぼ沿って配置されている。この挟持プレート３５の上下両端部には、上述のネジ孔４８が形成されている。
また各連結ビス３６は、固定枠３３の係合部４０の係合孔４３から挿通され、挟持プレート３５のネジ孔４８にネジ込まれる。
【０００５】
このように構成されたガス栓取付装置における、ガス栓取り付け手順について説明する。まず壁材３１ａ、３１ｂに開口部３１ｃを形成する。また４つの連結ビス３６それぞれを係合部４０の係合孔４３に挿通させると共に、その先端部を挟持プレート３５のネジ孔４８にネジ込むことにより、これら４つの連結ビス３６を介して挟持プレート３５を固定枠３３に連係させる。そして各連結ビス３６の頭部３６ａを摘んで左右外側方向に押し広げることにより、係合孔４３に挿通させた連結ビス３６をその挿通部分を支点として左右内側方向にスイングさせる。するとこのスイング動作に伴って、左右一対の挟持プレート３５、３５が左右内側方向にスイングして互いの間隔を狭め、壁材３１ａ、３１ｂに設けた開口部３１ｃ内に挿入可能な位置（引き込み位置）に配置される。
【０００６】
そして挟持プレート３５を開口部３１ｃにおいて壁面内に挿入した後、各連結ビス３６の頭部３６ａを左右内側方向に寄せることにより、各連結ビス３６をその挿通部分を支点として左右外側方向にスイングさせる。するとこのスイング動作に伴って、左右の挟持プレート３５、３５が左右外側方向にスイングして互いの間隔を広げ、壁材３１ａ、３１ｂの裏面位置（張り出し位置）に配置される。そして連結ビス３６を締め付けることにより壁材３１ａ、３１ｂを当接プレート３４と挟持プレート３５で挟持することができ、ガス栓３２の取付け作業が完了する。
【０００７】
【発明が解決しようとする課題】
しかしながら従来のこのようなガス栓取付装置においては、挟持プレート３５を引き込み位置と張り出し位置に配置するという操作を、連結ビス３６を介したスイング動作という回転的な操作によって行っていた。この場合、ビス３６の奥側の部分を指でつまんで内側に寄せる必要があり、操作をスムーズに行うことが困難であるという問題があった。
【０００８】
またこのような従来のガス栓取付装置においては、連結ビス３６を介したスイング動作を行っていたので、連結ビス３６が係合部４０の係合孔４３の周壁に押し付けられることになり、連結ビス３６のネジ山が係合孔４３の周壁に引っかかってスイング操作に支障が生じ、ネジ山に傷が付いたりするという問題があった。
さらに連結ビス３６は係合孔４３との挿通部分を支点としてスイング自在であるため、連結ビス３６を締め付ける際にもビスがふらついてしまうことがあり、連結ビス３６の締め付け作業をスムーズに行うことが困難であった。
【０００９】
また上述のスイング動作において挟持プレート３５の移動距離を長くするためには、スイングアームとして機能する連結ビス３６を長くする必要がある。したがって本来であれば連結ビス３６の長さは壁材３１ａ、３１ｂの挟持に必要な長さで足りるのに対し、従来の取付装置では挟持に必要な長さ以上の連結ビス３６を用いることになり、連結ビス３６の締め付けるために余計な時間を要するという問題があった。
【００１０】
この発明は上記のような事情を考慮してなされたものであり、その目的は、壁材を挟持する挟持プレートの変位動作をよりスムーズにすることにより、建屋壁面内にガス栓を容易に取り付けることのできるガス栓取付装置を提供することにある。
【００１１】
【課題を解決するための手段及び発明の実施の形態】
上記課題を解決するため、この発明のベースとなるガス栓取付装置は、 建屋壁面の壁材に設けた開口部における上記壁面内にガス栓を取り付けるためのガス栓取付装置であって、 上記ガス栓を固定するもので、上記壁材の表面に当接する当接プレートを有する固定枠と、 上記壁材の裏面に当接するもので、上記当接プレートと協働して上記壁材を挟持する挟持プレートと、 上記挟持プレートを上記当接プレート側に寄せるもので、上記固定枠にその頭部を当接させると共に、上記挟持プレートに設けたネジ孔に螺合する連結ビスと、を備え、 上記固定枠の当接プレートを、その正面中央部を開口部とする額縁状に形成し、 上記挟持プレートを、上記固定枠に対して上記壁材に沿う方向にスライド自在とし、 もって該挟持プレートが、上記壁材の開口部内にほぼ収まる引き込み位置と、上記壁材の開口部から張り出す張り出し位置との双方に変位可能としたことを特徴とする。
【００１２】
このガス栓取付装置では、挟持プレートを壁材に沿う方向にスライドさせることによって引き込み位置と張り出し位置とに配置することができる。したがってスライドという直線的な操作によって挟持プレートを目的とする位置に移動させることができ、挟持プレートをより直接的に動作させてスムーズな取り付け作業を行うことができる。
【００１３】
また直線的な操作によって挟持プレートを移動することから、従来のように連結ビスを係合孔に押し付けることがほとんどないので、操作を一層スムーズに行うことができると共に、連結ビスのネジ山を損傷等させることもない。
さらにこのように直線的な操作によって挟持プレートを移動することから、連結ビスをスイングアームとして機能させる必要がなく、連結ビスを壁材を挟持するために必要な長さ以上の長さにする必要がない。したがって、連結ビスの締結作業を従来に比して迅速に行うことができるとともに、コストを低減できる。
【００１４】
本発明においては、  上記連結ビスを上記挟持プレートの表面側に手前方向に立ち上がるような形態で配置し、該連結ビスの頭部を介して上記挟持プレートをスライド操作自在としたことが好ましい。
これにより、連結ビスの手前側の頭部を指でつまんで挟持プレートのスライド操作を行うことができるので操作がより容易である。
【００１５】
また、  上記固定枠には、上記当接プレートの開口部側に延出するガイドプレートを設け、  上記ガイドプレートには、上記壁材に沿う方向に延びる長孔状に形成されるとともに上記当接プレートの開口部側の端部が開放された係合孔を設け、  上記係合孔は、上記挟持プレートを上記引き込み位置に位置させた状態では上記連結ビスが外れるとともに、上記挟持プレートを上記張り出し位置に位置させた状態では上記連結ビスを係合することが好ましい。
【００１６】
これにより、引き込み位置においては連結ビスが係合孔から外れ、この連結ビスのネジ山がガイドプレートに不用意に干渉することがない。したがって連結ビスのネジ山を一層確実に保護することができる。
また張り出し位置においては連結ビスが係合孔に係合し、従来と同様に連結ビスを固定して締め付けを行うことができる。
【００１７】
また、上記ガイドプレートには、上記挟持プレートにて貫通されるガイド部を設け、該ガイド部に沿って上記挟持プレートをスライド操作自在とすることが好ましい。
これにより、挟持プレートがガイド部にてガイドされつつスライドするため、挟持プレートのスライド操作をスムーズに行うことができる。
【００１８】
また、上記挟持プレートには、該挟持プレートを上記引き込み位置に位置させた状態で上記ガイドプレートに当接する当接部を設けることが好ましい。
これにより、挟持プレートをスライドさせた際、その当接部をガイドプレートに当接させた状態が引き込み位置であるため、操作時における引き込み位置の把握が容易である。
【００１９】
また、上記ガイドプレートには、上記挟持プレートを上記張り出し位置に位置させた状態で上記連結ビスの先端部を回転自在に保持する保持部を設けることが好ましい。
これにより、連結ビスを不用意に動かすことなく締め付けることができ、締め付け作業を容易に行うことができる。
【００２０】
また、本発明の１つの実施の形態に係るガス栓取付装置では、 建屋壁面の壁材に設けた開口部における上記壁面内にガス栓を取り付けるためのガス栓取付装置において、 上記ガス栓を固定する固定枠であって、上記壁材の表面に当接するものでその正面中央部を開口部とする額縁状の当接プレートと、該当接プレートの開口部側に延出するガイドプレートとを有する固定枠と、 上記壁材の裏面に当接するもので、上記当接プレートと協働して上記壁材を挟持する挟持プレートと、 上記挟持プレートを上記当接プレート側に寄せるもので、上記固定枠にその頭部を当接させると共に、上記挟持プレートに設けたネジ孔に螺合して該挟持プレートの表面側に手前方向に立ち上がるような形態で配置される連結ビスとを備え、 上記ガイドプレートには、上記壁材に沿う方向に延びる長孔状に形成されるとともに上記当接プレートの開口部側の端部を開放された係合孔を設け、  上記挟持プレートを、上記固定枠に対して上記壁材に沿う方向にスライド自在とし、上記連結ビスが上記係合孔から外れた状態で上記壁材の開口部内にほぼ収まる引き込み位置と、上記連結ビスが上記係合孔に係合した状態で上記壁材の開口部から張り出す張り出し位置とに配置可能としたことを特徴とする。
これにより、上述と同様、スライドという直線的な操作によって挟持プレートを目的とする位置に移動させることができ、挟持プレートをより直接的に動作させてスムーズな取り付け作業を行うことができる。
【００２１】
以下、図面を参照してこの発明の一実施形態を説明する。図１は、この発明の一実施形態によるガス栓取付装置を示す図であり、（ａ）は平面図、（ｂ）は正面図、（ｃ）は側面図である。
この図１に示すように本実施形態によるガス栓取付装置は、建屋壁面を構成する壁材１ａ、１ｂ（図１（ａ）及び後述する図４にのみ想像線にて示す）に設けた開口部１ｃ内にガス栓２を取り付けるための構造である。この構造は、ガス栓２を固定する当接プレート４を有する固定枠３と、この当接プレート４と協働して壁材１ａ、１ｂを挟持する左右一対の挟持プレート５、５と、これら挟持プレート５、５を当接プレート４側に寄せる４つの連結ビス６、６とを備えている。
【００２２】
図２は固定枠を示す図であり、（ａ）は平面図、（ｂ）は正面図、（ｃ）は側面図である。この固定枠３は、図２に示すように、壁材１ａ、１ｂの表面に当接する当接プレート４と、２つの連結プレート７、７と、４つのガイドプレート８、８とを一体に備えて構成されている。
【００２３】
このうち当接プレート４は、図１、２に示すように、その正面中央部を開口部４ａとする額縁状に形成されている。この当接プレート４の開口部４ａの大きさは、壁材１ａ、１ｂの開口部１ｃの大きさにほぼ対応するように決定されている。したがって当接プレート４を壁材１ａ、１ｂと平行な向きで該壁材１ａ、１ｂの表面に当接させた状態において、この当接プレート４の開口部４ａと壁材１ａ、１ｂの開口部１ｃとが相互に連通し、当接プレート４の開口部４ａにおいてガス器具のガス接続栓等を壁材１ａ、１ｂの開口部１ｃ内に出し入れすることができる。
【００２４】
また固定枠３の連結プレート７は、図１、２に示すように、当接プレート４の上下２個所に設けられており、壁内側（図１（ａ）において下方に向かう方向を室内側、上方に向かう方向を壁内側とする。以下同じ）に延出してガス栓２にネジ止めされている。したがって当接プレート４を壁材１ａ、１ｂに当接させることにより、ガス栓２が連結プレート７を介して壁材１ａ、１ｂに固定される。ただし連結プレート７の形状は図示のものに限られず、後述する挟持プレート５のスライド操作の妨げにならない形状であればいかなる形状であってもよい。
【００２５】
図１に示すようにガス栓２は、図示しないガス器具のガス接続栓に対して着脱自在に接続されるものである。このガス栓２は、当接プレート４の開口部４ａ側に配置される器具側接続口２ａと、建屋壁面内に敷設した図示しないガス引き込み管に接続される引き込み側接続口２ｂとを備える。ガス引き込み管から供給されたガスはこれら引き込み側接続口２ｂ及び器具側接続口２ａを介してガス器具に供給される。ただしガス栓２の構造は図示のものに限られず、いかなる構造であってもよい。
【００２６】
また固定枠３のガイドプレート８は、図１、２に示すように、当接プレート４の裏面側の４隅近傍位置から壁内側に延出しているもので、当接プレート４から壁内側に向けて直交状に延びる延出部９と、該延出部９から左右中央側に向けて延出する係合部１０と、該係合部１０から壁内側に向けて延出するガイド部１１と、該ガイド部１１から左右外側に向けて延出する保持部１２とを一体に備えて構成されている。これら延出部９、係合部１０、ガイド部１１、及び保持部１２は、いずれも垂直短尺板状に形成されており、隣接する各部と相互にほぼ直交するように配置されている。
【００２７】
このうち延出部９の長さは、係合部１０と当接プレート４との間に連結ビス６の頭部６ａを容易に出し入れできるように決定される。
また係合部１０には、図２（ｂ）に示すように、その延出方向に沿った長孔状の係合孔１３が形成されている。この係合孔１３は、後述する連結ビス６の外径に比して若干太径に形成されると共に、連結ビス６の頭部６ａに比して細径に形成されており、またその左右中央側の端部１３ａを開放されている。したがって係合孔１３の内部には、その開放された端部１３ａを介して、後述する連結ビス６を自在に係脱できる。
【００２８】
またガイド部１１には、図２（ｃ）に示すように、その延出方向に沿ってそのほぼ全長に至る長孔状のガイド孔１４が形成されている。このガイド孔１４は後述する挟持プレート５の先端部１７の幅に比して若干太径に形成されており、したがって連結ビス６及び挟持プレート５の先端部１７をガイド孔１４に貫通させることが可能である。なおこのガイド孔１４と上述の係合孔１３とは、相互に連通するように形成されている。
【００２９】
このガイド部１１の長さは、ネジが脱着可能な長さとなるように決定されている。したがって係合部１０の係合孔１３に連結ビス６を係合させると共に、連結ビス６の頭部６ａを係合部１０の表面に当接させた状態において、連結ビス６の先端部が保持部１２に当接する。
なおガイド部１１及び延出部９の長さは、これらの長さの和が壁材１ａ、１ｂの厚み以上となるように決定されており、図１（ａ）に示すように当接プレート４と挟持プレート５との間に壁材１ａ、１ｂを配置することができる。
【００３０】
ここで保持部１２には、係合部１０の係合孔１３の左右外側の端部に対応する位置に、貫通孔たる保持孔１５が形成されている。この保持孔１５は、係合孔１３に連結ビス６を係合させると共に該連結ビス６を係合孔１３の左右外側位置に配置した状態において、保持部１２に当接した連結ビス６の先端部を回転可能に保持する。ただし保持部１２は連結ビス６の先端部を回転可能に保持できるものであればよく、貫通孔状でなく例えば凹状に形成してもよい。
【００３１】
次に、当接プレート４と協働して壁材１ａ、１ｂを挟持する挟持プレート５について説明する。この挟持プレート５は、図１に示すように固定枠３の左右両側に配置されるもので、これら左右一対の挟持プレート５、５は相互に対称形状をなす。図３は一方の挟持プレートを示す図であり、（ａ）は平面図、（ｂ）は正面図である。この挟持プレート５は、図３に示すように、基部１６と上下の先端部１７、１７とから正面コ字状に形成されている。このうち基部１６はガイドプレート８の間隔に対応した長さに形成されており、したがって挟持プレート５の上下の先端部１７、１７はガイドプレート８に対応する位置に同時に配置される。
【００３２】
また先端部１７は基部１６に比して細幅に形成され、上述のようにガイド部１１のガイド孔１４内に貫通自在とされている。この先端部１７にはネジ溝を有するネジ孔１８が形成されており、該ネジ孔１８に連結ビス６が螺合自在である。この先端部１７には、図３（ａ）に示すように、室内側に角度α（例えば約５度）にて屈曲する湾曲部１９が形成されており、したがって先端部１７を壁材１ａ、１ｂに沿って配置した状態において基部１６が先端部１７に比してやや室内側に位置して、壁材１ａ、１ｂを一層確実に挟持する。
ここで挟持プレート５の角部内側には左右中央に突出する当接部２０が設けられており、挟持プレート５を後述する引き込み位置に位置された状態において、当接部２０がガイドプレート８のガイド部１１に当接してその位置を規制する。
【００３３】
この挟持プレート５を当接プレート４側に寄せる連結ビス６は、固定枠３の係合部１０の係合孔１３に係合した状態において、その頭部を係合部１０の室内側面に当接させると共に、その先端部を挟持プレート５のネジ孔１８に螺合させる。したがってこの状態において連結ビス６を締め付けることにより、連結ビス６に対して挟持プレート５が相対移動し、挟持プレート５と固定枠３との間隔を変更して壁材１ａ、１ｂを挟持することができる。
【００３４】
次に、本実施形態におけるガス栓取付装置によるガス栓取り付け手順について説明する。
図４はガス栓取り付け手順を示す図であり、（ａ）は挟持プレートを引き込み位置に配置した状態の平面図、（ｂ）は挟持プレートを張り出し位置に配置した状態の平面図、（ｃ）は挟持プレートにて壁材を挟持した状態の平面図である。
この取り付け手順は概略的に、挟持プレート５を引き込み位置に配置して壁材１ａ、１ｂの開口部１ｃ内に挿入し、挟持プレート５を張り出し位置にスライドさせ、連結ビス６を締め付けることによって完了する。
【００３５】
まず壁材１ａ、１ｂに開口部１ｃを形成する。また固定枠３の連結プレート７、７に、ガス栓２をネジ止めにて固定する。またガス栓２の引き込み側接続口２ｂには、建屋壁面内に敷設した図示しないガス引き込み管を接続する。
次に、挟持プレート５の先端部１７をガイドプレート８のガイド部１１のガイド孔１４に挿通し、この挟持プレート５のネジ孔１８に４つの連結ビス６それぞれの先端部を螺合させる。これによって４つの連結ビス６、６を挟持プレート５の表面側に立ち上がるような形態で配置し、また挟持プレート５を４つの連結ビス６、６を介して固定枠３に対し脱落不能に連結する。
【００３６】
そして開口部４ａを介して各連結ビス６の頭部６ａを指で摘み、挟持プレート５の当接部２０がガイドプレート８のガイド部１１に当接するまで頭部６ａを左右中央側に引き寄せ、挟持プレート５を図４（ａ）に示す位置にスライドさせる。この位置が上述の引き込み位置であり、この引き込み位置において左右一対の挟持プレート５、５は正面から見て開口部４ａの内側にほぼ完全に位置し、壁材１ａ、１ｂの開口部１ｃ内に容易に挿入することができる。また上述のように当接部２０をガイドプレート８に当接させた状態が引き込み位置であるため、操作時における引き込み位置が容易に把握できる。
【００３７】
またこの引き込み位置においては、連結ビス６が、係合部１０の係合孔１３の端部１３ａを通って該係合孔１３から外れているため、この連結ビス６のネジ山がガイドプレート８に不用意に干渉することがない。したがって連結ビス６のネジ山を保護することができる。
【００３８】
このように挟持プレート５を引き込み位置に配置して壁材１ａ、１ｂの開口部１ｃ内に挿入した後、各連結ビス６の頭部６ａを左右外側にスライドさせる。そして各連結ビス６を係合部１０の係合孔１３の端部１３ａを通して該係合孔１３に係合させ、さらに各連結ビス６を係合孔１３の左右外側の端部に当接させることによって、挟持プレート５を図４（ｂ）に示す位置にスライドさせる。この位置が上述の張り出し位置であり、この張り出し位置において挟持プレート５は開口部１ｃよりも左右外側に張り出して壁材１ａ、１ｂの裏面に位置する。
【００３９】
このように各連結ビス６の頭部６ａを介して挟持プレート５のスライド操作を行うことができるので、スライド操作が容易である。また上述のように連結ビス６を係合孔１３の左右外側の端部に当接させた状態が張り出し位置であるため、操作時における張り出し位置の把握が容易である。
またこのスライド操作は、挟持プレート５の先端部１７をガイドプレート８のガイド部１１のガイド孔１４に貫通させた状態で行われる。したがって挟持プレート５は、その上下方向の動作をガイド孔１４の側壁にて規制されつつスライドするため、スライド操作をスムーズに行うことができる。
【００４０】
特にこのスライド操作においては、４つの連結ビス６、６及び一対の挟持プレート５、５を左右に直線移動させるだけでよく、スイングさせる必要がない。したがって挟持プレートをより直接的に動作させてスムーズな取り付け作業を行うことができる。また連結ビス６を係合孔１３に押し付けることがほとんどないので、操作を一層スムーズに行うことができ、また連結ビス６のネジ山を損傷等させることもない。さらにこのように連結ビス６をスイングアームとして機能させる必要がなく、連結ビス６を必要以上の長さにする必要がなく、コストを低減化することができると共に、連結ビス６の締結作業を従来に比して迅速に行うことができる。
【００４１】
このように挟持プレート５を張り出し位置にスライドさせた後、図示しないネジ回しによって４つの連結ビス６を上下左右交互に略均等に締め付ける。これによって各連結ビス６に対して挟持プレート５が相対移動し、図４（ｃ）に示すように挟持プレート５と固定枠３との間隔を狭めて壁材１ａ、１ｂを挟持することができる。
ここで張り出し位置においては、連結ビス６の先端部が保持部１２の保持孔１５にて回転可能に保持されるため、連結ビス６が不意に倒れたりフラつくことなく所定の角度で締め付けることができ、締め付け作業が容易である。
【００４２】
なお図４においては壁材１ａ、１ｂが相互に異なる厚みに形成されているが、当然のことながら相互に同じ厚みの壁材を挟持することも可能である。また挟持プレート５は左右方向にスライドするものとして説明したが、上下方向にスライド自在としてもよい。
【００４３】
【発明の効果】
以上の説明から明らかなように、本発明は以下の効果を発揮する。
▲１▼挟持プレートをより直接的に動作させてスムーズな取り付け作業を行うことができる。
▲２▼また連結ビスを係合孔等に押し付けることがほとんどないので、操作を一層スムーズに行うことができ、またネジ山を損傷等させることもない。
▲３▼さらに連結ビスの長さは壁材を挟持するために必要な長さであればよく、コストを低減化することができ、また連結ビスの締結作業を迅速に行うことができる。
▲４▼さらにまた連結ビスの頭部を介して挟持プレートのスライド操作を行えばスライド操作が容易である。
▲５▼挟持プレートがガイド部にてガイドされつつスライドできるようにすれば、スライド操作をスムーズに行うことができる。
【図面の簡単な説明】
【図１】この発明の一実施形態によるガス栓取付装置を示す図であり、（ａ）は平面図、（ｂ）は正面図、（ｃ）は側面図である。
【図２】固定枠を示す図であり、（ａ）は平面図、（ｂ）は正面図、（ｃ）は側面図である。
【図３】一方の挟持プレートを示す図であり、（ａ）は平面図、（ｂ）は正面図である。
【図４】ガス栓取り付け手順を示す図であり、（ａ）は挟持プレートを引き込み位置に配置した状態の平面図、（ｂ）は挟持プレートを張り出し位置に配置した状態の平面図、（ｃ）は挟持プレートにて壁材を挟持した状態の平面図である。
【図５】従来のガス栓取付装置を示す図であり、（ａ）は平面図、（ｂ）は正面図である。
【符号の説明】
１ａ、１ｂ、３１ａ、３１ｂ…壁材      １０、４０…係合部
１ｃ、４ａ、３１ｃ、３４ａ…開口部    １１…ガイド部
２、３２…ガス栓                      １２…保持部
２ａ…器具側接続口                    １３、４３…係合孔
２ｂ…引き込み側接続口                １３ａ…端部
３、３３…固定枠                      １４…ガイド孔
４、３４…当接プレート                １５…保持孔
５、３５…挟持プレート                １６…基部
６、３６…連結ビス                    １７…先端部
６ａ、３６ａ…頭部                    １８、４８…ネジ孔
７…連結プレート                      １９…湾曲部
８…ガイドプレート                    ２０…当接部
９…延出部
【図１】
0004351322.tif 000002
【図２】
0004351322.tif 000003
【図３】
0004351322.tif 000004
【図４】
0004351322.tif 000005
【図５】
0004351322.tif 000006